(57)【特許請求の範囲】
【請求項１】
光源と、前記光源からの光を反射する反射鏡と、前記反射鏡と対向して取付けられる光学部材と、を備える照明器具であって、
前記反射鏡は、前記光源からの光を、光軸に対して所望の照射角度以内の角度を有する光に制御して反射し、
前記光学部材は複数の開口を有しており、前記光学部材の中心付近に配置され、前記光軸に対して前記照射角度よりも大きく、且つ斜めから前記照明器具を見たときに前記光源が見えてほしくない遮蔽角度よりも小さい範囲内に存在する前記開口は、前記光源からの直射光を遮蔽する大きさとしたことを特徴とする照明器具。
【請求項２】
前記光軸に対して前記遮蔽角度よりも大きい範囲内に存在する前記光学部材の前記開口は、前記照射角度よりも大きな角度の光を照射可能な大きさとしたことを特徴とする請求項１に記載の照明器具。
【発明の詳細な説明】
【技術分野】
【０００１】
本発明は照明器具に係り、例えば商業空間の商品演出や、建築空間の空間演出に使用され、天井面、壁面、あるいは床面などに設置されるスポットライトなどの照明器具において、光源と、光源からの光を反射する反射鏡と、反射鏡と対向して取り付けられる光学部材と、を備える照明器具に関する。
【背景技術】
【０００２】
従来から、光源と、光源からの光を反射する反射鏡と、反射鏡に対向して取り付けられる光学部材と、を備える照明器具が知られている。このような照明器具にあっては、光源から照射面に向かって照射される光として、光源から直接、照射面に向かって放射状に照射される直射光と、光源から一旦反射鏡で反射されて照射面に向かって略平行状に照射される反射光とに分けられる。反射光は、反射鏡形状によって、所望の広がり角を有する略並行光に制御されて照射面に照射される。一方、直射光は、制御されていない光のため、放射状に照射されて、必要としない空間または部位への光照射につながると共に、照明器具を直視した場合、光源の輝度が不快に感じることが多い。このような問題に対処するため、反射鏡に対向して取り付けられる光学部材によって、反射光の妨げにはならず、直射光のみを効果的に抑制するようにした照明器具が知られている。
【０００３】
また、従来の照明器具としては、照明灯の光源前面に装着した透過カバーの中央部に、アルミニウム箔の光反射膜を施着することで、照射面の中央付近に照射される光を一旦反射鏡側に反射させた後、照射面の周辺付近に向けて照射することで、照射面の中央付近と周辺付近との照度を均等にするものもある（例えば特許文献１参照）。
【特許文献１】実開平６―１５２１４号公報
【発明の開示】
【発明が解決しようとする課題】
【０００４】
直射光のみを効果的に抑制するようにした光学部材としては、光源近傍に配設される略円筒状のグレアカットキャップや、六角形の多数の穴を配置したハニカムルーバなどが知られている。しかしながら、グレアカットキャップは、光源近傍に近接して配置されるため、光源の温度上昇につながる問題がある。また、ハニカムルーバは、多数の穴が密に配置されるため、光の出力効率低減を招く可能性がある。
【０００５】
本発明は、前述した課題に鑑みてなされたものであり、その目的は、光出力効率の低減を抑えつつ、温度上昇が抑制された光源に良好な温度条件のもと、直視時の眩しさを低減することができる照明器具を提供することにある。
【課題を解決するための手段】
【０００６】
本発明の上記目的は、下記の構成により達成される。
（１）  光源と、前記光源からの光を反射する反射鏡と、前記反射鏡と対向して取付けられる光学部材と、を備える照明器具であって、
前記反射鏡は、前記光源からの光を、光軸に対して所望の照射角度以内の角度を有する光に制御して反射し、
前記光学部材は複数の開口を有しており、前記光学部材の中心付近に配置され、前記光軸に対して前記照射角度よりも大きく、且つ斜めから前記照明器具を見たときに前記光源が見えてほしくない遮蔽角度よりも小さい範囲内に存在する前記開口は、前記光源からの直射光を遮蔽する大きさとしたことを特徴とする。
【０００７】
ここで、光源としては、例えば、白熱電球、ハロゲンランプ、メタルハライドランプ、電球形蛍光灯、または高輝度ＬＥＤランプといったものを例示できる。反射鏡としては、例えば、光の反射面が放物面状に形成され、該放物面の焦点に配置された光源からの光を、所望の照射角度を有する略並行光線として反射する放物面鏡が例示できる。また、光学部材としては、例えば、板状部材に六角形の多数の穴が設けられたハニカムルーバなどを例示できる。
【０００８】
このように構成された照明器具においては、反射鏡が、光源からの光を光軸に対して所望の照射角度以内の角度を有する光に制御して反射する。また、光学部材は、照射角度よりも大きく、且つ遮蔽角度よりも小さい範囲内に配置される開口が、光源からの直射光を遮蔽する大きさとなっているので、照明器具を斜めから見たとき、光源の直視が防止されて眩しさを効果的に抑制することができ、高いグレアカット性能が得られる。また、光の出力効率を過度に抑制することなく、照射面を高い照度で照明することができる。
【０００９】
（２）  上記（１）に記載の構成の加えて、前記光軸に対して前記遮蔽角度よりも大きい範囲内に存在する前記光学部材の前記開口は、前記照射角度よりも大きな角度の光を照射可能な大きさとしたことを特徴とする。
【００１０】
このように構成された照明器具においては、光軸に対して遮蔽角度よりも大きい範囲内に配置される開口が、照射角度よりも大きな角度の光を照射可能な大きさとなっているので、反射鏡によって反射される反射光を、開口から効率よく照射することができ、照射面を高い照度で照明することができる。
【発明の効果】
【００１１】
本発明によれば、反射鏡が、光源からの光を光軸に対して照射角度以内の角度を有する光に制御して反射する。また、光学部材は、照射角度よりも大きく、且つ遮蔽角度よりも小さい範囲内にある開口が、光源からの直射光を遮蔽する大きさとなっているので、照明器具を斜めから見たとき、光源の直視が防止されて眩しさを効果的に抑制することができ、高いグレアカット性能が得られる。また、光の出力効率を過度に抑制することなく、照射面を高い照度で照明することができる。
【発明を実施するための最良の形態】
【００１２】
以下、本発明に係る実施形態を図面に基づいて詳細に説明する。図１は本発明に係る照明器具の全体斜視図、図２は図１に示す照明器具の分解斜視図、図３は図１に示す照明器具の正面図、図４は図３におけるＩＶ―ＩＶ線での縦断面図である。
【００１３】
図１から図４に示すように、本発明の照明器具１０は、光源１１と、反射鏡１２と、光学部材１３とを、主に備える。
【００１４】
光源１１は、白熱電球、ハロゲンランプ、メタルハライドランプ、電球形蛍光灯、または高輝度ＬＥＤランプなどであり、電源回路からソケット（いずれも、図示せず）を介して電力の供給を受けて発光し、光を放射状に照射する。本実施形態では、セラミックメタルハライドランプを採用している。
【００１５】
反射鏡１２は、光源（セラミックメタルハライドランプ）１１から放射状に照射される光を反射し、照射面に向かって照射するものであり、ガラス基材や金属基材に金属膜が蒸着されてなるものが例示される。本実施形態の反射鏡１２の反射面１２ａは、断面が放物線となる放物面状に形成されている。
【００１６】
光源であるセラミックメタルハライドランプ１１は、その中心が、放物面状に形成された反射面１２ａの焦点位置に位置かると共に、反射鏡１２の開口面に対して略平行に配置されている。従って、反射鏡１２は、セラミックメタルハライドランプ（光源）１１から放射状に照射される光を反射して、光源１１の光軸ＢＬと略平行状の反射光、より詳細には、光軸ＢＬに対して所望の照射角度θ１以内の角度を有する光に制御して照射する（図４参照）。照射角度θ１は、反射鏡１２の反射面１２ａの形状によって適宜の角度に設定可能である。
【００１７】
反射鏡１２は、略円錐台形状に形成された中空のセード１４に挿入され、前面側から挿入される反射鏡固定バネ１５によって鍔部１２ｂが挟み込まれてセード１４に固定される。反射鏡１２の前面側には、光学部材１３、および前面枠１６がセード１４に嵌め込まれ、回転させることによってセード１４に係止されて装着されている。これにより、光学部材１３は、反射鏡１２に対向するように取り付けられ、セード１４にセラミックメタルハライドランプ（光源）１１および反射鏡１２と共に支持されている。
【００１８】
光学部材１３は、アルミニウムの円板に打ち抜き加工を施して正六角形の複数の開口３０（３０Ａ、３０Ｂ）を設けたものである。光学部材１３は、小型正六角形の複数の開口３０以外に、２つの大型正六角形３１、３２が円板の中心に対して２重に形成されている。内側の大型正六角形３１内に形成された小型正六角形の開口３０Ａ、即ち、円板の略中央に形成された開口３０Ａの面積は小さく、大型正六角形３１より外側、即ち、円板の周辺部に形成された開口３０Ｂの面積は大きくなっている。
【００１９】
このような光学部材１３は、円板の中心が光源１１の光軸ＢＬと交わるようにセード１４に取り付けられる。これにより、光源１１の光軸ＢＬと交わる部分の近傍では、周辺部分よりも光学部材１３に設けられた開口３０の単位面積あたりの開口面積が小さくなっている。
【００２０】
図４に示すように、光学部材１３の開口３０は、光軸ＢＬに対して、所望の照射角度θ１よりも大きく、且つ斜めから照明器具１０を見たときに光源（セラミックメタルハライドランプ）１１が見えてほしくない遮蔽角度θ２よりも小さい範囲内に存在する開口３０の開口面積が、光源１１からの直射光を遮蔽する大きさとなっている。また、光軸ＢＬに対して遮蔽角度θ２よりも大きい範囲内に存在する開口３０の開口面積は、照射角度θ１よりも大きな角度の光を照射可能な大きさとなっている。照射角度θ１および遮蔽角度θ２は、照明器具１０の用途などに基づいて適宜設定される。
【００２１】
これにより、照明器具１０を遮蔽角度θ２より大きい斜め方向から見たとき、遮蔽角度θ２よりも小さい範囲内に存在する光学部材１３の中心付近の開口３０からの直接光が遮光されて、照明器具１０を見たときの眩しさが防止される。また、所望の角度である照射角度θ１より小さい角度の光は、いずれの開口３０によっても遮光されることなく照射されるので、光出力効率の低減が防止されて、照射面を高照度で照明することができる。
【００２２】
セード１４の側面（図１において右側面）には、リング状の軸受け部１９が設けられており、この軸受け部１９が、略Ｌ字型のアーム１７の一端１８に嵌合して、セード１４を回動自在に支持する。アーム１７の一端１８内には、ソケット２０が固定されており、このソケット２０にセラミックメタルハライドランプ（光源）１１が装着される。これにより、セード１４は、ソケット２０を収容するアーム１７の一端１８を回動軸として、換言すれば、ソケット２０に装着されたセラミックメタルハライドランプ（光源）１１を中心として、反射鏡１２、前面枠１６および光学部材１３とともに首振り回転可能となっている。セード１４の内部には、アーム１７内に設けられた図示しない係止部と係合してセード１４の回動範囲を制限する係合部が設けられており、これによりセード１４の回動範囲が所定の角度内に規制される。
【００２３】
アーム１７の他端２１は、安定器ボックス２２の下面に回動自在に装着されており、アーム１７を回動させることにより、セード１４がアーム１７の他端２１を中心として水平面内で移動する。安定器ボックス２２には、安定器２３および配線ダクトに接続されるプラグ部２４が収容され、カバー２５によって閉鎖されている。
【実施例】
【００２４】
次に、本発明に基づいて製作した照明器具（光学部材）と、従来の照明器具（光学部材）とを斜めから見た時、開口からの光源の見え方について比較した。図５は本発明に係る照明器具と、従来の照明器具とを斜めから見たとき、光源の見え方を見る角度ごとに比較して示す斜視図、図６は実施例で用いた本発明に係る光学部材の開口形状を示す正面図である。
なお、ここでは、所望の照射角度θ１を２０°に、光源が見えてほしくない遮蔽角度θ２を４０°に設定した。
【００２５】
所望の照射角度θ１＝２０°、遮蔽角度θ２＝４０°に設定された本発明に係る光学部材１３は、図６に示すように、外径１０５ｍｍ、厚さ８ｍｍのアルミニウム円板を用い、直径９９ｍｍの範囲内に、開口（２種類）である複数の小型正六角形の開口３０Ａ、３０Ｂ、および一対の大型正六角形の開口３１、３２を形成した。
【００２６】
大型正六角形の開口３１、３２の対辺距離（外側対辺距離）は、それぞれ２８．３ｍｍおよび４５．６ｍｍである。一方の小型正六角形の開口３０Ａは、セル長さが６．７ｍｍであり、光軸ＢＬの近傍、即ち、対辺距離２８．３ｍｍの大型正六角形の開口３１の内側に形成されている。開口３０Ａの横方向ピッチは７．３ｍｍであり、縦方向ピッチは６．３２ｍｍである。
【００２７】
また、他方の小型正六角形の開口３０Ｂは、セル長さ８ｍｍであり、大型正六角形の開口３１の外側に形成されている。開口３０Ｂの横方向ピッチは８．４３ｍｍであり、縦方向ピッチは７．３０ｍｍである。なお、各開口３０Ａ、３０Ｂ、３１、３２を画成する壁の厚さは、１．５ｍｍである。
【００２８】
また、本発明に係る光学部材１３と比較するための従来の光学部材４３は、外径１０５ｍｍ、厚さ８ｍｍのアルミニウム円板を用い、直径９９ｍｍの範囲内に、開口としてセル長さ６．７ｍｍの複数の小型正六角形の開口３０Ａを、横方向ピッチ７．３ｍｍ、縦方向ピッチ６．３２ｍｍで一様に形成した。なお、開口３０Ａを画成する壁の厚さは、１．５ｍｍである。
ここで、セル長さとは、正六角形の頂点間距離と定義する。
【００２９】
図５（ａ）に示すように、従来の光学部材４３は、一様に配置された開口３０Ａの厚さが８ｍｍ、セル長さが６．７ｍｍであるので、照明器具を光軸ＢＬに対して斜め４０°（atan（６．７／８））未満の角度から見たときには、開口３０Ａから光源（セラミックメタルハライドランプ）１１が直視され、眩しさが感じられる。逆に言えば、照明器具を光軸ＢＬに対して斜め４０°以上の角度から見たときに、光源１１からの光は遮光される。
【００３０】
一方、図５（ｂ）に示すように、本発明に係る光学部材１３は、光軸ＢＬに対して所望の照射角度２０°未満の角度に放射される光（直接光および反射光）は、開口３０Ａ、３０Ｂを透過して照射面に効率よく照射される。
【００３１】
また、所望の照射角度２０°〜遮蔽角度４０°の角度範囲に放射される直接光は、光学部材１３の中心付近においては、光軸ＢＬ近傍（大型正六角形の開口３１の内側）に配置されたセル長さ６．７ｍｍの開口３０Ａ、および一対の大型正六角形の開口３１、３２の遮蔽壁によって遮光されて、直視時の眩しさが低減する。また、周辺部（大型正六角形の開口３１の外側）には、セル長さ８ｍｍの開口３０Ｂを配置したので、開口率を大きく確保することができ、光出力の低減が抑えられる。
【００３２】
なお、本発明の照明器具は、前述した実施形態および実施例に限定されるものでなく、適宜な変形，改良等が可能である。
【００３３】
その他、前述した実施形態および実施例において例示した光源、反射鏡、光学部材、照明器具、開口、照射角度、遮蔽角度等の材質，形状，寸法，形態，数，配置個所等は本発明を達成できるものであれば任意であり、限定されない。
【図面の簡単な説明】
【００３４】
【図１】本発明に係る照明器具の全体斜視図
【図２】図１に示す照明器具の分解斜視図
【図３】図１に示す照明器具の正面図
【図４】図３におけるＩＶ―ＩＶ線での縦断面図
【図５】本発明に係る照明器具と、従来の照明器具を斜めから見たとき、光源の見え方を見る角度ごとに比較して示す斜視図
【図６】実施例で用いた本発明に係る光学部材の開口形状を示す正面図
【符号の説明】
【００３５】
１０  照明器具
１１  セラミックメタルハライドランプ（光源）
１２  反射鏡
１３  光学部材
３０Ａ  開口
３０Ｂ  開口
ＢＬ  光軸
θ１  照射角度
θ２  遮蔽角度
【図１】
0005088961.tif 000002
【図２】
0005088961.tif 000003
【図３】
0005088961.tif 000004
【図４】
0005088961.tif 000005
【図６】
0005088961.tif 000006
【図５】
0005088961.tif 000007